(57)【要約】【課題】手持ち花火を主体として地面設置型花火をセットにしても嵩張ることのない玩具花火セットを提供すること。【解決手段】封筒状の第１の収納袋１内に着火部側が上側となるように台紙上に幅方向に展開させて固定した複数の手持ち花火３を収納するとともに、第１の収納袋１の前面下部位置に複数の噴出花火８を収納した小包状の第２の収納袋２を配置して玩具花火セットが構成されている。第２の収納袋２は第１の収納袋１の背面側に折り曲げられた連結部１０が上下二か所において透明テープによって固定されている。【選択図】図１
0003206008.tif 000002
【実用新案登録請求の範囲】
【請求項１】
封筒状の第１の収納体内に着火部側が上側となるように台紙上に幅方向に展開させて固定した複数の手持ち花火を収納するとともに、前記第１の収納体の前面下部位置に複数の地面設置型花火を収納した小包状の第２の収納体を配置してなる玩具花火セット。
【請求項２】
前記地面設置型花火は立設状態で幅方向に配置されて前記第２の収納体内に収納されていることを特徴とする請求項１に記載の玩具花火セット。
【請求項３】
前記第２の収納体に収容された前記地面設置型花火の全横幅は前記第１の収納体の横幅内に収まっていることを特徴とする請求項１又は２に記載の玩具花火セット。
【請求項４】
前記第２の収納体は前記第１の収納体の背面側で前記第１の収納体に固定されていることを特徴とする請求項１〜３のいずれかに記載の玩具花火セット。
【請求項５】
前記第１の収納体の下端と前記第２の収納体の下端は略一致していることを特徴とする請求項１〜４のいずれかに記載の玩具花火セット。
【請求項６】
前記第１の収納体と前記第２の収納体の間には花火を収納した第３の収納体が配設されていることを特徴とする請求項１〜５のいずれかに記載の玩具花火セット。
【請求項７】
前記第１の収納体及び前記第２の収納体の少なくとも一方は内部が外部から目視可能とされていることを特徴とする請求項１〜６のいずれかに記載の玩具花火セット。
【考案の詳細な説明】
【技術分野】
【０００１】
本考案は、玩具花火をセット化した玩具花火セットに関するものである。
【背景技術】
【０００２】
玩具花火の販売においては複数の玩具花火を袋に入れてセット化することが一般的である。玩具花火は大きく分けて手で柄の部分を持って遊ぶ手持ち花火と地面に置いて火を付ける地面設置型花火に分けられる。また特殊な花火として糸で吊り下げて火を付ける吊り下げ花火がある。一般にセット化して販売される場合には様々な種類の複数の玩具花火を１つの巾着状の収納袋に同梱したり、あるいは太さが概ね似ている複数の手持ち花火を台紙上に幅方向に展開させて固定して封筒状の収納袋に入れたりする。玩具花火としては手持ち花火の人気が高く、嵩張ることもないため封筒状の収納袋に入れた玩具花火セットの需要が大きい。
【考案の概要】
【考案が解決しようとする課題】
【０００３】
しかし、ユーザーとしては主として手持ち花火を購入したいものの地面設置型花火も若干は購入したいという要望がある。本考案はそのようなユーザーの要請に答えたものであって、手持ち花火を主体として地面設置型花火をセットにしても嵩張ることのない玩具花火セットを提供することにある。
【課題を解決するための手段】
【０００４】
上記の目的を達成するための第１の手段として、封筒状の第１の収納体内に着火部側が上側となるように台紙上に幅方向に展開させて固定した複数の手持ち花火を収納するとともに、前記第１の収納体の前面下部位置に複数の地面設置型花火を収納した小包状の第２の収納体を配置することをその要旨とする。
第２の手段では、前記地面設置型花火は立設状態で幅方向に配置されて前記第２の収納体内に収納されていることをその要旨とする。
第３の手段では、前記第２の収納体に収容された前記地面設置型花火の全横幅は前記第１の収納体の横幅内に収まっていることをその要旨とする。
第４の手段では、前記第２の収納体は前記第１の収納体の背面側で前記第１の収納体に固定されていることをその要旨とする。
第５の手段では、前記第１の収納体の下端と前記第２の収納体の下端は略一致していることをその要旨とする。
第６の手段では、前記第１の収納体と前記第２の収納体の間には花火を収納した第３の収納体が配設されていることをその要旨とする。
第７の手段では、前記第１の収納体及び前記第２の収納体の少なくとも一方は内部が外部から目視可能とされていることをその要旨とする。
【０００５】
このような構成とすれば、手持ち花火を主としてこれと一緒に地面設置型花火をセットとして販売する際に、扁平な第１の収納体の前面下部位置に小包状に第２の収納体を配置することができ全体として前後方向に嵩張ることがない。また、異なる種類の玩具花火を別々の収納体毎に分けることができ、ユーザーは使用時にそれぞれの袋から所望の玩具花火を取り出すことができる。この際に地面設置型花火が立設状態で幅方向に配置されて第２の収納体内に収納されていることでより第２の収納体の外形をコンパクトにすることができる。第１の収納体と前記第２の収納体は別体であってもよく、ある１枚の袋体を２つの領域に分けて使用するようにしてもよい。
また、特に地面設置型花火の全横幅は前記第１の収納体の横幅内に収まっていることで、第１の収納体の幅方向から第２の収納体がはみ出すことがなく幅方向にも嵩張ることがない。
第２の収納体は第１の収納体の背面側で第１の収納体に固定されているようにすることで、ユーザーが前面から玩具花火セットを目視する際に固定手段が邪魔になることがない。
また、第１の収納体の下端と第２の収納体の下端が略一致することで玩具花火セットを起立して展示させることが容易となる。
また、第１の収納体と第２の収納体の間に花火を収納した第３の収納体を配設するようにすることがよい。これによって更に追加的な花火群を玩具花火セットに追加することができる。
また、第１の収納体及び前記第２の収納体の少なくとも一方は内部が外部から目視可能とされていることがよい。これによって、内部の玩具花火をユーザーが目視でき、購買意欲が喚起されると同時に、使用時に所望の花火が取り出しやすくなる。
【考案の効果】
【０００６】
本考案によれば、手持ち花火を主として合わせて地面設置型花火をセットとして販売する際に全体が嵩張ることがなく、異なる種類の玩具花火を別々の収納体で分けることができるため、ユーザーの使用時にそれぞれの袋から所望の玩具花火を取り出すことができるため便利である。
【図面の簡単な説明】
【０００７】
【図１】本考案の実施の形態の玩具花火セットの第１の収納袋に対して第２の収納袋を取り付ける直前の斜視図。
【図２】（ａ）は同じ玩具花火セットの第１の収納袋の前面に第２の収納袋を配置した状態の側面図、（ｂ）は同じく第１の収納袋に第２の収納袋をテープで固定する状態を説明する説明図。
【図３】同じ玩具花火セットの背面図。
【図４】他の実施の形態の玩具花火セットの側面図。
【考案を実施するための最良の形態】
【０００８】
以下、本考案の玩具花火セットを具体化した実施の形態を図面に基づいて説明する。
図１に示すように、本実施の形態の玩具花火セットは封筒型の第１の収納体としての第１の収納袋１に対してプラスチック製の小包状の第２の収納体としての第２の収納袋２を連結固定して構成されている。本実施の形態においては第１の収納袋１は縦４８ｃｍ、横２９ｃｍのマチのないプラスチック製（本実施の形態ではポリプロピレン製）の袋体である。本実施の形態においては第２の収納袋２は縦１２ｃｍ、横４６ｃｍ、マチ幅６ｃｍのプラスチック製（本実施の形態ではポリプロピレン製）の袋体である。
第１の収納袋１内には複数種類の多数の手持ち花火３が封入状態で収納されている。手持ち花火３は同種毎に複数束ねられたり小袋に収容されたりした状態で図示しない着火部側が上側となるよう台紙上にテープで固定され、台紙とともに収納されている。。本実施の形態では前段Ａ、中断Ｂ、後段Ｃと三段に手持ち花火３が上下にずれた状態で重複状に配置されている。後段Ｃの手持ち花火３群の下側寄り（柄側：着火部側ではない側）は中断Ｂの手持ち花火３群の上側寄りに覆われ、中段Ｂの手持ち花火３群の下側寄りは前断Ａの手持ち花火３群の上側寄りに覆われている。第１の収納袋１の上部寄り中央位置には吊り下げ用の透孔４が形成されている。第１の収納袋１は前面中央領域が透明な窓部５とされており、窓部５から内部の手持ち花火３が目視可能とされている。第１の収納袋１前面において窓部５の周囲領域は文字や模様が配置された装飾部６とされている。尚、本実施の形態では「テモプラ（手持ち花火プラス噴出花火の略）」の文字のみを示すが実際には様々な文字や装飾用の模様が付されている。
【０００９】
第２の収納袋２内には噴出花火８が封入状態で収納されている。第２の収納袋２は表裏面を構成する第１及び第２のシート２ａ、２ｂと第１及び第２のシート２ａ、２ｂとの間に配設された一対のマチ部２ｃ、２ｃから構成されている。図１に示すように第２の収納袋２内には複数の（四本の）同型の円筒状の噴出花火８が立設状態で隣接して横一列に配設されている。尚、本実施の形態では第２の収納袋２には何も表示はないが実際には様々な文字や装飾用の模様が付されている。第２の収納袋２は文字や装飾用の模様以外の部分は透明であって内部が目視可能である。また、噴出花火８の外周にも実際には様々な文字や装飾用の模様が付されている。
噴出花火８が横一列に隣接配置された状態でその幅方向全長は第２の収納袋２の横方向の長さよりも短い。本実施の形態ではこれら複数の噴出花火８を第２の収納袋２内の幅方向中央に収納した際に左右方向に均等な長さとなる余剰部が設けられており、その余剰部をマチ部２ｃ、２ｃが折り畳まれるように第１及び第２のシート２ａ、２ｂを接近させて扁平に構成することで連結部１０が形成されている。
図１及び図２（ａ）（ｂ）に示すように、第２の収納袋２は第１の収納袋１の前面の下部位置に配置される。第２の収納袋２を第１の収納袋１に連結（固定）する作業においては、まず、図１の黒矢印のように第２の収納袋２を第１の収納袋１に接近させ、その下端位置が第１の収納袋１の下端位置と一致するように配置する（図２（ａ）の状態）。そして、図１の白矢印のように連結部１０を第１の収納袋１の左右両側から第１の収納袋１の裏側方向に折り曲げ、その状態で図２（ｂ）に示すように各連結部１０を上下二か所の透明テープ１１によって第１の収納袋１の後面に固定する。固定状態で噴出花火８は第２の収納袋２は第１の収納袋１に密着させられている。図３は透明テープ１１によって各連結部１０が第１の収納袋１の背面で固定された状態である。
このように、第２の収納袋２が第１の収納袋１に固定された状態では第１の収納袋１に収納された三段の手持ち花火３群のうち、最も下側寄りに配置される前断Ａの手持ち花火３群の下側寄り（柄側）がちょうど噴出花火８によって隠されることとなる。
【００１０】
このように構成された実施の形態の玩具花火セットでは次のような効果が奏される。
（１）手持ち花火３が収納された第１の収納袋１に噴出花火８が収納された第２の収納袋２を配設させているため、手持ち花火と噴出花火をセットして販売することが可能であるとともに、それぞれ別々に袋に入っているためユーザーの使用において取り出しやすくなっている。
（２）手持ち花火３が収納された封筒型の第１の収納袋１の前面下部位置のみに横一列に配置させた噴出花火８が収納された第２の収納袋２を配設させているため全体として嵩張らずに展示販売することができる。
（３）手持ち花火３が収納された第１の収納袋１の前面下部位置に噴出花火８が収納された第２の収納袋２を配設させているため、第１の収納袋１に収納した手持ち花火３が第２の収納袋２によって見えなくなるということがない。
（４）第２の収納袋２は透明テープ１１によって固定されているため、容易に第１の収納袋１から取り外すことができる。
（５）第１の収納袋１と第２の収納袋２を合わせた底面の面積が大きいため、吊り下げ用の透孔４を使用して吊り下げて展示販売するだけではなく例えば棚等の上に置くことも可能となる。
【００１１】
尚、この考案は、次のように変更して具体化することも可能である。
・第１の収納袋１に収容される手持ち花火３は三段に重ねてデコレーションされているが、これに限定されるものではない。また、手持ち花火３以外の花火を収納するようにしてもよい。
・第２の収納袋２に収納する噴出花火８の数や種類やサイズの変更は自由である。同種の花火ではなく違う種類の花火を配置するようにしてもよい。また、第２の収納袋２には噴出花火以外の地面設置型花火、例えば打ち上げ花火等を入れるようにしてもよい。
・上記実施の形態では第１の収納袋１と第２の収納袋２の２種類の収納袋で玩具花火セットを構成したが、例えば図４のように手持ち花火３と噴出花火８の中間サイズの花火や特殊花火等をアレンジした第３の収納袋１３を配設するようにしてもよい。
・第１の収納袋１と第２の収納袋２はそれぞれ別体で構成したが１枚の収納袋を手持ち花火３の収納領域と噴出花火８の収納領域とに分け、分け目で折り曲げてテープで手持ち花火３の収納領域前面に噴出花火８の収納領域を配置するようにしてもよい。
・その他、本考案の趣旨を逸脱しない態様で実施することは自由である。
【符号の説明】
【００１２】
１…第１の収納体としての第１の収納袋、２…第２の収納体としての第２の収納袋、３…手持ち花火、８…地面設置型花火としての噴出花火。
【図１】
0003206008.tif 000003
【図２】
0003206008.tif 000004
【図３】
0003206008.tif 000005
【図４】
0003206008.tif 000006